(57)【要約】【課題】維持管理がしやすいうえに自立した形状を維持することのできる人工植栽ユニットを提供する。【解決手段】人工植栽ユニット１は、金属製のメッシュ２１と、樹脂製の植物２２が植え込まれた植物マット２３と、金属製のメッシュ２１と植物マット２３とを一体に接合する接合具２４と、から構成される植栽パネル２０と；複数の植栽パネル２０、・・・を連結する連結具５０と；を備え、複数の植栽パネル２０、・・・を立体形状に組み立てて構成されることを特徴とする。人工植栽ユニット１は、先端ユニット２と、一般ユニット３と、から構成されており、直列に連結できるようにされている。【選択図】図１
2018016986.tif 000002
【特許請求の範囲】
【請求項１】
金属製のメッシュと、樹脂製の植物を有する植物マットと、前記金属製のメッシュと前記植物マットとを一体に接合する接合具と、から構成される植栽パネルと；
複数の前記植栽パネルを連結する連結具と；を備え、
複数の前記植栽パネルを立体形状に組み立てて構成されることを特徴とする、人工植栽ユニット。
【請求項２】
前記人工植栽ユニットを構成する少なくとも１つの前記植栽パネルが、曲面に形成された曲面パネルである、請求項１に記載された人工植栽ユニット。
【請求項３】
前記人工植栽ユニットは、先端ユニットと、一般ユニットと、から構成されており、直列に連結できることを特徴とする、請求項１又は請求項２に記載された人工植栽ユニット。
【請求項４】
直列に連結された状態で、隣接する人工植栽ユニットと接する面となる前記植栽パネルは、上部のみに前記金属製のメッシュが設置され、下部は開放されていることを特徴とする、請求項３に記載された人工植栽ユニット。
【請求項５】
道路の分離帯に設置したことを特徴とする請求工１乃至４のいずれかに記載の人工植栽ユニット。
【請求項６】
請求項１乃至請求項５のいずれか一項に記載された人工植栽ユニットを設置する方法であって、
前記金属製のメッシュと前記植物マットとを前記接合具によって接合して前記植栽パネルを構築する工程と、
複数の前記植栽パネルを前記連結具によって連結して、前記人工植栽ユニットの展開図状に構築する工程と、
展開図状に構築された前記植栽パネルを設置現場まで運搬する工程と、
設置現場において、前記植栽パネルを前記連結具によって連結して立体形状に組み立てる工程と、を備える、人工植栽ユニットを設置する方法。
【請求項７】
設置現場において、既存の構造物の形状に合わせて前記植栽パネルの前記金属製のメッシュをカスタマイズする工程をさらに備える、請求項６に記載された人工植栽ユニットを設置する方法。
【請求項８】
立体形状に組み立てられた前記植栽パネルの底面となる前記金属製のメッシュを地面に対してアンカー固定する工程をさらに備える、請求項６又は請求項７に記載された人工植栽ユニットを設置する方法。
【発明の詳細な説明】
【技術分野】
【０００１】
本発明は、道路の中央分離帯・路側帯などに設置される人工植栽ユニット及び人工植栽ユニットを設置する方法に関するものである。
【背景技術】
【０００２】
従来、石垣やコンクリート壁の表面は、白色乃至灰色の無機的な雰囲気を呈しており、自然な風合いを出すことは難しかった。このような問題を解決するため、例えば、特許文献１には、網体の網目枠に人工植物を取り付けた目隠しシートを石垣やコンクリート壁等に張設する技術が開示されている。この特許文献１の目隠しシートを石垣等に使用すれば、その表面の無機的な雰囲気を隠しながら、自然感、立体感および遠近感に富んだ表面を表す結果、生活する者の心を癒し、充足感を与えることができる。さらに、植生として人工植物を使用しているため、草取り、防虫剤の散布、施肥の作業が不要となり、維持管理がしやすい（特許文献１の段落００１５参照）。
【０００３】
また、特許文献２には、保持板に造花、絵画並びにディスプレイ等を順次取替自在に保持してこの保持板をベランダに着脱自在に固定してベランダの美観を高める美観保持具が開示されている。
【先行技術文献】
【特許文献】
【０００４】
【特許文献１】実用新案登録第３０７０６１９号公報
【特許文献２】実用新案登録第３００２１０５号公報
【発明の概要】
【発明が解決しようとする課題】
【０００５】
しかしながら、特許文献１の目隠しシートでは、網体として幅約５ｍｍの布テープを縦横交差させて縫着させて構成されるものを用いており、壁やフェンスなどの表面に沿って設置することが前提となっていた。したがって、目隠しシート単体では自立した形状を維持することができず、設置場所が限定されていた。また、特許文献２の美観保持具でも、保持板によって形状は保持できるものの、保持板をベランダの手すりに取り付けるようになっており、ベランダ以外の場所に設置することは想定していなかった。
【０００６】
そこで、本発明の人工植栽ユニットは、維持管理がしやすいうえに単体で自立した形状を維持することのできる、人工植栽ユニットを提供することを目的としている。
【課題を解決するための手段】
【０００７】
前記目的を達成するために、本発明の人工植栽ユニットは、金属製のメッシュと、樹脂製の植物が植え込まれた植物マットと、前記金属製のメッシュと前記植物マットとを一体に接合する接合具と、から構成される植栽パネルと；複数の前記植栽パネルを連結する連結具と；を備え、複数の前記植栽パネルを立体形状に組み立てて構成される。
【０００８】
また、本発明の人工植栽ユニットを設置する方法は、前記金属製のメッシュと前記植物マットとを前記接合具によって接合して前記植栽パネルを構築する工程と、複数の前記植栽パネルを前記連結具によって連結して、前記人工植栽ユニットの展開図状に構築する工程と、展開図状に構築された前記植栽パネルを設置現場まで運搬する工程と、設置現場において、前記植栽パネルを前記連結具によって連結して立体形状に組み立てる工程と、を備える。
【発明の効果】
【０００９】
このように、本発明の人工植栽ユニットは、金属製のメッシュと、樹脂製の植物が植え込まれた植物マットと、前記金属製のメッシュと前記植物マットとを一体に接合する接合具と、から構成される植栽パネルと；複数の前記植栽パネルを連結する連結具と；を備え、複数の前記植栽パネルを立体形状に組み立てて構成される。このため、維持管理がしやすいうえに自立した形状を維持することができる。
【００１０】
また、本発明の人工植栽ユニットを設置する方法は、前記金属製のメッシュと前記植物マットとを前記接合具によって接合して前記植栽パネルを構築する工程と、複数の前記植栽パネルを前記連結具によって連結して、前記人工植栽ユニットの展開図状に構築する工程と、展開図状に構築された前記植栽パネルを設置現場まで運搬する工程と、設置現場において、前記植栽パネルを前記連結具によって連結して立体形状に組み立てる工程と、を備える。このため、維持管理がしやすいうえに自立した形状を維持することができる人工植栽ユニットを、きわめて迅速に効率よく構築することができる。
【図面の簡単な説明】
【００１１】
【図１】人工植栽ユニットを直列に連結して中央分離帯に用いた例の斜視図である。
【図２】植栽パネルを立体形状に組み立てた斜視図である。
【図３】先端ユニットの展開図である。
【図４】一般ユニットの展開図である。
【図５】金属製のメッシュと植物マットの接合を説明する説明図である。（ａ）は平面図であり、（ｂ）は樹脂製植物が植え込まれた断面図である。
【図６】アンカーによる固定を説明する説明図である。（ａ）は平面図であり、（ｂ）は断面図である。
【図７】人工植栽ユニットの変形例の説明図である。（ａ）は四角形断面、（ｂ）は半円形断面、（ｃ）は楕円形断面、（ｄ）は三角形断面の人工植栽ユニットである。
【発明を実施するための形態】
【００１２】
以下、本発明の実施の形態について図面を参照して説明する。
【実施例】
【００１３】
まず、図１を用いて本発明の人工植栽ユニット１を直列に連結して道路の分離帯９０に用いた例の全体構成を説明する。本実施例の人工植栽ユニット１は、先端ユニット２と、一般ユニット３と、から構成されており、先端ユニット２と一般ユニット３とを直列に連結できるようにされている。そして、先端ユニット２は、分離帯９０の先端に配置され、先端ユニット２に連続して一般ユニット３、・・・が配置される。以下、図２〜図４を用いて、先端ユニット２と一般ユニット３の立体形状及び詳細な構成を説明する。
【００１４】
先端ユニット２は、図３の展開図に示すように、４枚の植栽パネル２０Ａ、２０Ｂ、２０Ｃ、２０Ｃと、３枚の金属製のメッシュ４１、４１、４１と、が連結具５０、・・・によって連結されて構成されている。また、図２の斜視図に示すように、先端ユニット２の立体形状は、先端側の植栽パネル２０Ａを斜面とする台状又はすべり台状に形成されている。斜面となる植栽パネル２０Ａは、平面となっている。
【００１５】
植栽パネル２０Ａ、２０Ｂ、２０Ｃは、それぞれ後述するように、ベース材で構造強度を維持する金属製のメッシュ２１と、樹脂製の植物２２が植え込まれた網目状の植物マット２３とを接合具２４によって接合することによって構成される。先端ユニット２の露出面を構成する植栽パネル２０Ａ、２０Ｂ、２０Ｃは、いずれも面全体を覆っている。
【００１６】
金属製のメッシュ４１は、アルミ、ステンレス、スチール等の棒鋼を格子状に溶接して構成される。先端ユニット２の露出しない面を構成する金属製のメッシュ４１は、いずれも面全体を覆うものではない。すなわち、先端ユニット２の底面に設置される金属製のメッシュ４１、４１は、底面のうち長手方向の端部のみに配置されて、左右の植栽パネル２０Ｃ、２０Ｃの下端を連結している。したがって、底面の長手方向の中央部には、開口部が形成されている。さらに、先端ユニット２の背面に設置される金属製のメッシュ４１は、背面のうち上端部のみに配置されて、左右の植栽パネル２０Ｃ、２０Ｃ及び上面の植栽パネル２０Ｂを連結している。したがって、背面の下部には、開口部が形成されている。
【００１７】
一般ユニット３は、図４の展開図に示すように、３枚の植栽パネル３０Ａ、３０Ｂ、３０Ｂと、４枚の金属製のメッシュ４１、４１、４１、４１と、が連結具５０、・・・によって連結されて構成されている。また、図２の斜視図に示すように、一般ユニット３の立体形状は、直方体状に形成されている。
【００１８】
植栽パネル３０Ａ、３０Ｂは、それぞれ後述するように、ベース材で構造強度を維持する金属製のメッシュ３１と、樹脂製の植物３２が植え込まれた網目状の植物マット３３とを接合具３４によって接合することによって構成される。一般ユニット３の露出面を構成する植栽パネル３０Ａ、３０Ｂは、いずれも面全体を覆っている。
【００１９】
金属製のメッシュ４１は、アルミ、ステンレス、スチール等の棒鋼を格子状に溶接して構成される。一般ユニット３の露出しない面を構成する金属製のメッシュ４１は、いずれも面全体を覆うものではない。すなわち、一般ユニット３の底面に設置される金属製のメッシュ４１、４１は、底面のうち長手方向の端部のみに配置されて、左右の植栽パネル３０Ｂ、３０Ｂの下端を連結している。したがって、底面の長手方向の中央部には、開口部が形成されている。さらに、一般ユニット３の正面及び背面に設置される金属製のメッシュ４１は、正面及び背面のうち上端部のみに配置されて、左右の植栽パネル３０Ｂ、３０Ｂ及び上面の植栽パネル３０Ａを連結している。したがって、正面及び背面の下部には、開口部が形成されている。
【００２０】
そして、本実施例の植栽パネル２０Ａ〜２０Ｃ、３０Ａ、３０Ｂは、図５（ａ）、（ｂ）に示すように、金属製のメッシュ２１（３１）と、樹脂製の植物２２（３２）が植え込まれた植物マット２３（３３）と、金属製のメッシュ２１（３１）と植物マット２３（３３）とを一体に接合する接合具２４（３４）と、からパネル状（板状）に構成されている。
【００２１】
金属製のメッシュ２１（３１）は、ベース材であり、構造強度を維持する役割がある。金属製のメッシュ２１は、亜鉛めっき鉄線、合成樹脂被覆線、着色塗装亜鉛めっき鉄線、ステンレス鋼線、アルミ合金線、亜鉛・アルミ合金めっき鉄線、アルミ被覆線等を格子状に溶接して形成されるものである。ここにおいて、金属製のメッシュ２１の棒鋼（線材）の径は、３．００ｍｍ〜５．００ｍｍ程度のものを使用することができる。より好ましくは、棒鋼の径は、現場での切断の容易性を考慮すると、３．００ｍｍ〜４．００ｍｍ程度のものが好ましい。
【００２２】
植物マット２３（３３）は、表面に抜け止め構造のピンを有する格子状の成形品と、このピンが挿し込まれた樹脂製の植物２２（３２）（疑似植物）と、によって構成されている。樹脂製の植物２２の葉の形状は、どのような種類・形状の物であってもよい。また、格子状の成形品のピンのすべてに樹脂製の植物２２を装着しなくてもよい。なお、植物マット２３（３３）は、格子状の成形品に樹脂製の植物２２（３２）が埋め込まれたものに限定されるものではなく、樹脂製の植物２２（３２）を有するマット乃至シートであれば、どのような形状・構成のものであってもよい。
【００２３】
そして、金属製のメッシュ２１（３１）の格子のピッチは、植物マット２３（３３）の格子のピッチの整数倍となっており（あるいは、両者のピッチの最小公倍数が所定の値となっており）、所定の間隔で（図５では、植物マット２３の４つの格子ごとに）金属製のメッシュ２１（３１）と植物マット２３（３３）の線材（格子）が重なるようになっている。このように両者の線材が重なった位置で、両者を金属製の接合具２４（３４）によって、一緒に抱え込むようにして固定することによって、両者が一体化される。すなわち、Ｕ字状の接合具２４（３４）は、開いた状態で金属製のメッシュ２１（３１）の格子に押し当てられ、治具によって先端を閉じながら植物マット２３（３３）の格子を把持することで、金属製のメッシュ２１（３１）と植物マット２３（３３）とを一体に固定する。なお、金属製のメッシュ２１（３１）と植物マット２３（３３）を接合するものであれば、接合具２４（３４）は本実施例の形状、材質に限定されない。
【００２４】
また、本実施例の植栽パネル２０Ａ〜２０Ｃ、３０Ａ、３０Ｂの底面には、図６（ａ）、（ｂ）に示すように、金属製のメッシュ４１、４１が部分的に配置されている。金属製のメッシュ４１、４１は、強度を考慮すると、長手方向の端部に配置されることが好ましい。そして、金属製のメッシュ４１の格子（線材）２本を抱えるようにして、アンカープレート６０が設置されている。このアンカープレート６０をアンカー６１及びアンカーボルト６２によって、舗装された設置場所に固定することで、人工植栽ユニット１（２、３）が固定される。なお、舗装されていない設置場所では、アンカープレート６０を杭や楔によって地盤に固定することで、人工植栽ユニット１（２、３）が、地盤に固定される。
【００２５】
アンカープレート６０は、金属製の板の中央にアンカーボルト６２挿通用の長孔が設けられるとともに、長手方向の両端に金属製のメッシュ４１、４１の格子を抱える半円筒部を備えて構成される。したがって、設置場所にアンカー６１を埋設し、位置を調整しながらアンカープレート６０を位置決めし、アンカー６１にアンカーボルト６２を螺合させることによって金属製のメッシュ４１及び人工植栽ユニット１（２、３）を固定する。
【００２６】
（変形例）
次に、図７（ａ）〜（ｄ）を用いて、変形例の人工植栽ユニット１Ａ〜１Ｃについて説明する。なお、図７（ａ）には、比較のために実施例１の人工植栽ユニット１も表示している。図７（ａ）に示すように、人工植栽ユニット１では、先端ユニット２の傾斜面となる植栽パネル２０Ａは平板状に形成されている。また、図７（ｂ）に示すように、人工植栽ユニット１Ａでは、傾斜面及び上面となる植栽パネルは、断面が半円筒状に形成されている。さらに、図７（ｃ）に示すように、人工植栽ユニット１Ｂでは、傾斜面及び上面となる植栽パネル及び側面となる植栽パネルは、半楕円筒状に形成されている。一方、図７（ｄ）に示すように、人工植栽ユニット１Ｃでは、傾斜面となる植栽パネル及び側面となる植栽パネルは、断面が三角形状に形成されている。すなわち、図７（ｄ）の人工植栽ユニット１Ｃは、先端ユニット２の露出面は２面の植栽パネルで構成され、一般ユニット３の露出面も２面の植栽パネルで構成されている。
【００２７】
（施工方法）
次に、上述してきた人工植栽ユニット１（２、３）を設置する方法について説明する。
【００２８】
本実施例の人工植栽ユニット１（２、３）を設置する方法は、少なくとも以下の１）〜４）の工程を備えている。なお、以下では、先端ユニット２を例として説明する。具体的には、本実施例の人工植栽ユニット１（２、３）を設置する方法は、
１）金属製のメッシュ２１と植物マット２３とを接合具２４によって接合して植栽パネル２０を構築する工程と、
２）複数の植栽パネル２０、・・・を複数の連結具５０、・・・によって連結して、人工植栽ユニット１（２、３）の展開図状に構築する工程と、
３）展開図状に構築された植栽パネル２０、・・・を設置現場まで運搬する工程と、
４）設置現場において、植栽パネル２０、・・・を複数の連結具５０、・・・によって連結して立体形状に組み立てる工程と、
を備えている。
【００２９】
工程１）では、金属製のメッシュ２１と植物マット２３とを、所定の間隔・位置で接合具２４によって接合して、両者が一体となった植栽パネル２０（２０Ａ、２０Ｂ、２０Ｃ）を構築する。
【００３０】
工程２）では、複数の植栽パネル２０（２０Ａ、２０Ｂ、２０Ｃ）を、連結具５０、・・・によって連結する。ただし、立体形状となるまでは連結せずに、展開図状（複数の植栽パネル２０の少なくとも大部分が一体に連結されており、かつ、平面状を維持している状態）に構築する。
【００３１】
工程３）では、展開図状に構築された植栽パネル２０（２０Ａ、２０Ｂ、２０Ｃ）を設置現場までトラック等の荷台に載せて運搬する。この際には、連結された植栽パネル２０（２０Ａ、２０Ｂ、２０Ｃ）が、平面状となっており、多数の植栽パネル２０を重ねた状態で運搬することができるため、効率よく運搬することができる。なお、植栽パネル２０を段ボール箱に収納或いは緩衝材を介して重ねても構わない。
【００３２】
工程４）では、設置現場において、植栽パネル２０（２０Ａ、２０Ｂ、２０Ｃ）を複数の連結具５０、・・・によって連結して立体形状に組み立てる。この際には、あらかじめユニットを構成するすべて（又は大部分）の植栽パネル２０（２０Ａ、２０Ｂ、２０Ｃ）がユニットごとに連結されているため、部材の取り違えが生じることがない。さらに、連結箇所が少なくなっているため、設置現場における連結作業を最小限とすることができる。特に、道路の分離帯に、植栽パネル２０（２０Ａ、２０Ｂ、２０Ｃ）を設置する場合には、夜間の限られた時間内に作業を終える必要があるため、迅速に施工できることのメリットは極めて大きい。
【００３３】
上述した１）〜４）の工程に加えて、４）の組み立てる工程において、設置現場にある既存の構造物の形状に合わせて植栽パネル２０の金属製のメッシュをカスタマイズする工程をさらに備えることもできる。カスタマイズの手法としては、金属製のメッシュ２１（３１）を、切断したり、折り曲げたりする手法がある。例えば、標識の支柱などの既存の構造物に合わせて金属製のメッシュ２１及び植物マット２３にスリット或いは開口部を設けたりすることができる。さらに、全体のバランスを見ながら、植物マット２３（３３）から、樹脂製の植物２２（３２）の一部を取り除いたり、必要な部分に樹脂製の植物２２（３２）を付け足したりすることなども可能である。
【００３４】
さらに、４）の組み立てる工程において、立体形状に組み立てられた人工植栽ユニット１（２、３）の底面となる金属製のメッシュ４１、４１を地面に対してアンカー６１で固定する工程をさらに備えることもできる。この工程では、位置を決めて設置場所に穿孔し、アンカー６１を打ち込み、アンカープレート６０で底面の金属製のメッシュ４１の格子を抱えた状態で、アンカーボルト６２をアンカー６１に螺合する。この際には、背面となる金属製のメッシュ４１は、上部のみに配置されて、下部は開口部となっているため、中に手を入れたり、上半身を入れたりできるため、作業がしやすい。
【００３５】
（効果）
次に、本実施例の人工植栽ユニット１（２、３）の奏する効果を列挙して説明する。
【００３６】
（１）上述してきたように、本実施例の人工植栽ユニット１（２、３）は、金属製のメッシュ２１（３１）と、樹脂製の植物が植え込まれた植物マット２３（３３）と、前記金属製のメッシュと前記植物マットとを一体に接合する接合具２４と、から構成される植栽パネル２０（３０）と；複数の前記植栽パネルを連結する連結具５０と；を備え、複数の前記植栽パネルを立体形状に組み立てて構成されることを特徴としている。したがって、本実施例の人工植栽ユニット１であれば、維持管理がしやすいうえに自立した形状を維持することができる。
【００３７】
より具体的にいうと、本実施例の人工植栽ユニット１（２、３）は、従来の自然植栽のものに対して、形状維持としての剪定、落ち葉清掃、枯れ対策の散水、害虫駆除など維持管理の軽減が可能である。また、道路の分離帯などに設置される自然植栽は、道路標識（交通安全施設）の設置で基礎部分にコンクリートなどが使用された地盤では育たないが、人工植栽ユニット１（２、３）であれば設置が可能である。そして、自然植栽などの育成は自然条件に左右され低木と高木などとの組み合わせが用いられる場合、高木の根起しによる低木の発育不良などで隙間などが生じ、動物や人の通り道が出来るため、自動車などの通行での危険性が生じるが、人工植栽ユニット１（２、３）を設置すればこの危険性を軽減することができる。
【００３８】
（２）また、人工植栽ユニット１（２、３）を構成する少なくとも１つの植栽パネルが、曲面に形成された曲面パネルである。このように、金属製のメッシュ２１（３１）を用いることで、プレス加工によって様々な形状を容易に形成することができる。
【００３９】
（３）さらに、人工植栽ユニット１は、先端ユニット２と、一般ユニット３と、から構成されており、直列に連結できるようにされている。このため、路側帯や中央分離帯などの長い距離に人工植栽ユニット１を適用する場合に、量産化が容易になる。すなわち、同一形状とすることで、生産性が高まるうえにコストパフォーマンスが向上する。
【００４０】
（４）また、直列に連結された状態で、隣接する人工植栽ユニット１（２、３）と接する面（正面又は背面）となる植栽パネル２０は、上部のみに金属製のメッシュ４１が設置され、下部は開放されている。このような構造によって、人工植栽ユニット１（２、３）として必要な強度を確保しつつも、空いている下部の開口部から人工植栽ユニット１（２、３）内に手を入れることができ、アンカー６１固定の作業がしやすくなる。さらに、例えば、電力線や通信線などを人工植栽ユニット１（２、３）の内部に配線することも可能である。
【００４１】
（５）さらに、本発明の人工植栽ユニットを設置する方法は、上述したいずれかの人工植栽ユニット１（２、３）を設置する方法であって、金属製のメッシュ２１と植物マット２３とを接合具２４によって接合して植栽パネル２０を構築する工程と、構築された複数の植栽パネル２０、・・・を連結具５０、・・・によって連結して、人工植栽ユニット１（２、３）の展開図状に構築する工程と、展開図状に構築された植栽パネル２０、・・を設置現場まで運搬する工程と、設置現場において植栽パネル２０、・・・を連結具５０、・・・によって連結して立体形状に組み立てる工程と、を備えている。このため、運搬が容易であり、かつ、迅速に設置することのできる人工植栽ユニット１（２、３）となる。
【００４２】
（６）また、設置現場において、既存の構造物の形状に合わせて植栽パネル２０、３０の金属製のメッシュ２１、３１をカスタマイズする工程をさらに備えることができる。このように、設置現場において金属製のメッシュ２１、３１を切断したり折り曲げたりすることで、設置現場における既存の構造物の形状に容易に対応させて人工植栽ユニット１（２、３）を設置できる。上記実施例では、直方体形状の一般ユニット３としたが、道路がカーブしている分離帯では、金属製のメッシュ２１、３１を切断あるいは曲げ加工して道路の形状に合わせて設置できる。
【００４３】
（７）立体形状に組み立てられた植栽パネル２０の底面となる金属製のメッシュ４１、４１を地面に対してアンカー６１固定する工程をさらに備えることで、人工植栽ユニット１（２、３）を容易に固定することができる。この場合、正面又は背面の植栽パネル２０は上部にのみ金属製のメッシュ４１を備えることで、下部におけるアンカー６１固定の作業がしやすくなる。
【００４４】
以上、図面を参照して、本発明の実施例を詳述してきたが、具体的な構成は、この実施例に限らず、本発明の要旨を逸脱しない程度の設計的変更は、本発明に含まれる。
【００４５】
例えば、実施例では人工植栽ユニット１（２、３）を道路の分離帯に適用する場合について説明したが、これに限定されるものではない。人工植栽ユニット１（２、３）は、どのような場所に配置してもよく、擁壁の前などに設置することもできる。
【符号の説明】
【００４６】
１          人工植栽ユニット
２          先端ユニット
３          一般ユニット
２０、３０  植栽パネル
２１、３１  金属製のメッシュ
２２、３２  樹脂製の植物
２３、３３  植物マット
２４、３４  接合具
４１        金属製のメッシュ
５０        連結具
６０        アンカープレート
６１        アンカー
６２        アンカーボルト
９０        中央分離帯
【図１】
2018016986.tif 000003
【図２】
2018016986.tif 000004
【図３】
2018016986.tif 000005
【図４】
2018016986.tif 000006
【図５】
2018016986.tif 000007
【図６】
2018016986.tif 000008
【図７】
2018016986.tif 000009